(57)【要約】【課題】容器成形から容器への内容液の充填までを一貫して行う場合であっても、容器の変形を確実に抑制することが可能な無菌充填システム、容器殺菌ユニット、および無菌充填方法を提供すること。【解決手段】殺菌された内容液を殺菌済みの容器Ｃに無菌充填する無菌充填システム１０であって、容器Ｃのブロー成形を行う容器成形ユニット２０と、容器成形ユニット２０の下流側に配置された容器殺菌ユニット３０と、容器殺菌ユニット３０の下流側に配置され容器Ｃ内に内容液を充填する充填ユニット４０と、充填ユニット４０の下流側に配置されたキャッピングユニット５０とを備え、容器殺菌ユニット３０は、容器Ｃを加熱殺菌する加熱殺菌部３１と、加熱殺菌部３１の下流側において容器Ｃの口部Ｃ１に冷却処理を施す冷却部３２とを有する無菌充填システム１０。【選択図】図１
2017047965.tif 000002
【特許請求の範囲】
【請求項１】
殺菌された内容液を殺菌済みの容器に無菌環境下で充填する無菌充填システムであって、
容器のブロー成形を行う容器成形ユニットと、前記容器成形ユニットの下流側に配置された容器殺菌ユニットと、前記容器殺菌ユニットの下流側に配置され前記容器内に内容液を充填する充填ユニットと、前記充填ユニットの下流側に配置されたキャッピングユニットとを備え、
前記容器殺菌ユニットは、前記容器を加熱殺菌する加熱殺菌部と、前記加熱殺菌部の下流側において前記容器の口部に冷却処理を施す冷却部とを有することを特徴とする無菌充填システム。
【請求項２】
前記容器成形ユニットに設置されたブローホイールの下流側から前記容器殺菌ユニットの前記加熱殺菌部の上流側の間において、前記容器の口部に冷却処理を施す他の冷却部を有することを特徴とする請求項１に記載の無菌充填システム。
【請求項３】
前記容器殺菌ユニットは、前記容器の口部を保持して前記容器を搬送するグリッパを備え、前記グリッパは、該グリッパを冷却するグリッパ冷却手段を更に備えることを特徴とする請求項１または２に記載の無菌充填システム。
【請求項４】
前記グリッパ冷却手段は、前記グリッパに潤滑用の流体を供給して、該グリッパを冷却するように構成されていることを特徴とする請求項３に記載の無菌充填システム。
【請求項５】
上流側の容器成形ユニットと下流側の充填ユニットとの間に設置され、容器に殺菌処理を施す無菌充填システム用の容器殺菌ユニットであって、
前記容器を加熱殺菌する加熱殺菌部と、前記加熱殺菌部の下流側において前記容器の口部に冷却処理を施す冷却部とを有することを特徴とする容器殺菌ユニット。
【請求項６】
前記加熱殺菌部の上流側において、前記容器の口部に冷却処理を施す他の冷却部を更に有することを特徴とする請求項５に記載の容器殺菌ユニット。
【請求項７】
殺菌された内容液を殺菌済みの容器に無菌充填する無菌充填方法であって、
ブロー成形によって前記容器を成形し、成形された前記容器に加熱殺菌し、加熱殺菌済みの前記容器の口部に冷却処理を施した後に前記殺菌された内容液を充填・密封することを特徴とする無菌充填方法。
【請求項８】
前記ブロー成型より下流側から前記加熱殺菌の上流側において、前記容器の口部に冷却処理を更に施すことを特徴とする請求項７に記載の無菌充填方法。
【発明の詳細な説明】
【技術分野】
【０００１】
本発明は、殺菌された内容液を殺菌済みの容器に無菌充填する無菌充填システム、容器殺菌ユニット、および無菌充填方法に関し、特に、容器成形から内容液の充填・密封までを一貫して行うインラインブロー式の無菌充填システム、容器殺菌ユニット、および無菌充填方法に関する。
【背景技術】
【０００２】
従来より、殺菌された内容液を殺菌済みの容器に無菌環境下で充填する無菌充填（アセプティック充填）方法が広く採用されている（例えば特許文献１を参照）。このような無菌充填方法では、容器殺菌ユニットにおいて、容器に温水または温薬剤液を吹き付けて容器を加熱殺菌した後、殺菌済みの容器内に殺菌された常温の内容液を充填し、次いで、容器に殺菌済みのキャップをキャッピングして容器を密閉する。
【０００３】
このような無菌充填方法では、殺菌された常温の内容液が容器内に充填されることから、容器に耐熱性能が要求されず、そのため、容器の口部を結晶化していない非耐熱性ポリエステルボトルが一般に用いられる。このような非耐熱性ポリエステルボトルには、容器を軽量化および薄肉化し易くコストダウンが可能であり、ボトルの耐熱処理を不要として製造方法を簡略化できるという利点がある。
【０００４】
ところが、非耐熱性ポリエステルボトル、例えば、ポリエチレンテレフタレートを主材とした非耐熱性ペットボトルの場合は、約７０℃程度の温度で軟化が始まり、また、上述した容器の加熱殺菌時には、容器に対して約６０℃〜９０℃程度の温水または約５５℃〜７５℃程度の温薬剤液が吹き付けられることから、容器の加熱殺菌後には容器の変形が生じ易い状態となる。そのため、このような容器の変形を抑制することを目的として、容器の加熱殺菌後に、低温の無菌水等を容器に吹き付ける等の方法で容器を冷却することも一般に知られている（例えば特許文献２、３を参照）。
【先行技術文献】
【特許文献】
【０００５】
【特許文献１】特開２０１４−２３１３５６号公報
【特許文献２】特開平１１−２２７７２６号公報
【特許文献３】特開２００８−１３３０４９号公報
【発明の概要】
【発明が解決しようとする課題】
【０００６】
一方、近年、同一工場内において、容器成形から容器への内容液の充填までを一貫して行うインラインブロー式の無菌充填システムが採用されつつある。このインラインブロー式の無菌充填システムでは、上述した容器殺菌ユニットの上流側に、容器のブロー成形を行う容器成形ユニットを設置し、容器成形ユニットから搬出された容器を容器殺菌ユニット内に搬入し、容器殺菌ユニットにおいて上述した容器の加熱殺菌を行う。
【０００７】
ところが、このようなインラインブロー式の無菌充填システムにおいては、無菌充填システムから排出された密封済みの容器の一部に、キャッピング不良、すなわち、容器の口部に対してキャップが良好に装着されていない事象が発生する場合がある。
【０００８】
発明者らは、このキャッピング不良の原因は、容器成形ユニットから搬出された容器の口部には、ブロー成形時のプリフォーム加熱の余熱が残存しており、この余熱が容器に残存したままの状態で、容器に加熱殺菌処理が施されるためではないかと推察した。
【０００９】
上記を詳細に説明すると、まず、近年、この様なインラインブロー式の無菌充填システムでは、システム全体の小型化等を目的として、容器成形ユニットと容器殺菌ユニットとを隣接もしくは近接して設置する傾向がある。この場合、容器成形ユニットと容器殺菌ユニットとの間における容器の受け渡し搬送中に、ブロー成形時のプリフォーム加熱の余熱が容器から除去されることがないため、容器の口部にプリフォーム加熱の余熱が残存したままの状態で、容器殺菌ユニットに容器が搬入されることになる。
そして、容器成形ユニットから搬出された直後の容器の口部の表面温度は約５０℃程度であり、この約５０℃程度の余熱が容器に残存した状態で容器殺菌ユニットに容器が搬入され、容器殺菌ユニット内で、約６０℃〜９０℃程度の温水又は５５℃〜７５℃の温薬剤を容器に吹き付けた場合、前記余熱が除去された容器を加熱殺菌した場合と比較して、容器の口部の温度がポリエチレンテレフタレート樹脂のガラス転移点温度である約７０℃程度に早期に達し、その結果、容器の口部の軟化した状態が長時間維持されることになる。
この容器の口部が軟化した状態で、図３に示すような容器の口部を保持して容器を受け渡し搬送するグリッパによって容器の口部が挟まれると、容器の加熱殺菌後に容器を冷却するだけでは冷却不足となり、グリッパによる把持時における衝撃や圧力が容器の口部に加わり、容器の口部の断面形状が僅かに歪む等、容器の口部に変形が生じ、その結果、容器の口部に対するキャップの装着が良好に行われないことに起因するのではないかと推察した。
【００１０】
上述した現象は、容器の口部が、他の箇所（胴部等）と比べて肉厚に形成されているため、容器の口部の内側（芯部）に余熱が残存し易いことも一因であると考えられる。
【００１１】
そこで、本発明は、これらの問題点を解決するものであり、容器成形から容器への内容液の充填までを一貫して行う場合であっても、容器の口部の変形を確実に抑制して、容器の口部にキャップを良好にキャッピングすることが可能な無菌充填システム、容器殺菌ユニット、および無菌充填方法を提供することを目的とするものである。
【課題を解決するための手段】
【００１２】
本発明の無菌充填システムは、殺菌された内容液を殺菌済みの容器に無菌環境下で充填する無菌充填システムであって、容器のブロー成形を行う容器成形ユニットと、前記容器成形ユニットの下流側に配置された容器殺菌ユニットと、前記容器殺菌ユニットの下流側に配置され前記容器内に内容液を充填する充填ユニットと、前記充填ユニットの下流側に配置されたキャッピングユニットとを備え、前記容器殺菌ユニットは、前記容器を加熱殺菌する加熱殺菌部と、前記加熱殺菌部の下流側において前記容器の口部に冷却処理を施す冷却部とを有することにより、前記課題を解決するものである。
本発明の容器殺菌ユニットは、上流側の容器成形ユニットと下流側の充填ユニットとの間に設置され、容器に殺菌処理を施す無菌充填システム用の容器殺菌ユニットであって、前記容器を加熱殺菌する加熱殺菌部と、前記加熱殺菌部の下流側において前記容器の口部に冷却処理を施す冷却部とを有することにより、前記課題を解決するものである。
本発明の無菌充填方法は、殺菌された内容液を殺菌済みの容器に無菌充填する無菌充填方法であって、ブロー成形によって前記容器を成形し、成形された前記容器に前記容器を加熱殺菌し、加熱殺菌済みの前記容器の口部に冷却処理を施した後に前記殺菌された内容液を充填・密封することにより、前記課題を解決するものである。
【発明の効果】
【００１３】
本請求項１、５、７に係る発明によれば、ブロー成形によって成形された容器を加熱殺菌した後に容器の口部に冷却処理を施すことにより、容器に残存したブロー成形時の余熱および加熱殺菌に起因した熱を除去した後に、充填・キャッピングをすることが可能である。このため、容器の口部が軟化した状態の時間を短縮することができ、その結果、容器成形から容器への内容液の充填までを一貫して行うインラインブロー式の無菌充填において、容器の口部の変形を確実に抑制して、容器の口部にキャップを良好にキャッピングすることができる。
【００１４】
本請求項２、８に係る発明によれば、容器成形ユニットに設置されたブローホイールの下流側から容器殺菌ユニットの加熱殺菌部の上流側の間において、容器の口部に冷却処理を更に施すことにより、容器の口部の内側（深部）に残存したブロー成形時の余熱をも確実に除去した後、容器を加熱殺菌することが可能である。このため、より確実に容器の口部の変形を抑制して、容器の口部にキャップを良好にキャッピングすることができる。
本請求項３に係る発明によれば、容器殺菌ユニットは、容器の口部を把持して容器を搬送するグリッパを備え、グリッパを冷却するグリッパ冷却手段を更に備えることにより、容器搬送時に容器の口部に接触するグリッパを利用して、容器の口部から余分な熱を除去することが可能であり、容器の口部に残存したブロー成形時の余熱がグリッパに伝熱・蓄熱され、蓄熱されたグリッパが更に容器の口部を熱することを防ぐため、簡素な構成で容器口部の変形を更に確実に抑制することができる。
本請求項４に係る発明によれば、グリッパ冷却手段は、グリッパに潤滑用の流体を供給してグリッパを冷却するように構成されていることにより、グリッパを冷却する手段とグリッパを潤滑する手段とを別個に設ける必要がないため、システム構成の簡素化を図ることができる。
本請求項６に係る発明によれば、容器殺菌ユニットの加熱殺菌部の下流側において容器の口部に冷却処理を施す他の冷却部を更に有することにより、容器の口部の内側（深部）に残存したブロー成形時の余熱をも確実に除去した後、容器を加熱殺菌することが可能である。このため、より確実に容器の口部の軟化および変形を確実に抑制することができる。また、他の冷却部を容器殺菌ユニット内とすることにより、冷却手段の冷媒種類の幅を広げることが可能になる。
【図面の簡単な説明】
【００１５】
【図１】本発明の一実施形態に係る無菌充填システムを示す説明図。
【図２】各工程における容器の状態を概略的に示す説明図。
【図３】グリッパによる容器の保持状態を示す説明図。
【発明を実施するための形態】
【００１６】
以下に、本発明の一実施形態に係る無菌充填システム１０について、図面に基づいて説明する。
【００１７】
まず、無菌充填システム１０は、容器Ｃの成形および殺菌された内容液を殺菌済みの容器Ｃに無菌充填するものであり、図１に示すように、容器Ｃのブロー成形を行う容器成形ユニット２０と、容器成形ユニット２０の下流側に隣接もしくは近接して配置された容器殺菌ユニット３０と、容器殺菌ユニット３０の下流側に配置され、容器Ｃ内に内容液を充填する充填ユニット４０と、充填ユニット４０の下流側に配置され容器の口部Ｃ１に殺菌済みのキャップを装着するキャッピングユニット５０と、出口搬送ゾーン７０と、容器Ｃを容器殺菌ユニット３０の上流から下流に向けて搬送する容器搬送手段６０とを備えている。
ここで、容器殺菌ユニット３０における容器Ｃの殺菌工程、充填ユニット４０における内容液の充填工程、キャッピングユニット５０におけるキャッピング工程等の各工程は、無菌状態に維持された無菌チャンバー内で行われる。無菌チャンバーは、充填ユニット４０において外部から無菌エアを導入し、容器殺菌ユニット３０（第１の冷却部３２付近）および出口搬送ゾーン７０において、無菌エアが回収（排気）されているため、前述の無菌チャンバー内は陽圧に保たれている。
【００１８】
図２、図３に示す本実施形態の容器Ｃは、容器口部Ｃ１が結晶化されていない非耐熱性ポリエステルボトルであり、このような非耐熱性ポリエステルボトルがペットボトルである場合、約７０℃程度の温度で軟化が始まる。なお、口部Ｃ１が結晶化されていない非耐熱性ポリエステルボトルにおいては、口部Ｃ１の変形に対する抑制効果を働かせるため、容器Ｃの予備成形体であるプリフォームの容器口部Ｃ１の含水率を３０００ｐｐｍ以下とすることが好ましい。
【００１９】
以下に、無菌充填システム１０の各構成要素について、図１〜図３に基づいて説明する。
【００２０】
まず、容器成形ユニット２０は、加熱したプリフォームを金型内に配置した後に、プリフォームを長手方向に引き伸ばしながら、加圧空気を吹き込んで周方向に膨らませることで、容器Ｃをブロー成形するように構成されている。
【００２１】
容器殺菌ユニット３０は、図１や図２に示すように、容器Ｃに殺菌処理を施す加熱殺菌部３１と、加熱殺菌部３１の上流側において、容器Ｃの口部Ｃ１に冷却処理を施す第１の冷却部３２と、加熱殺菌部３１の下流側において容器Ｃに冷却処理を施す第２の冷却部３３とを有している。
【００２２】
加熱殺菌部３１は、約６０℃〜９０℃程度の温水または約５５℃〜７５℃程度の温薬剤液を容器Ｃに吹き付けることで容器Ｃを殺菌するものである。本実施形態では、図１や図２に示すように、第５ターレット６２−５〜第８ターレット６２−８の周囲に設置された複数の殺菌用スプレーノズル３１ａから、温水または温薬剤液を容器Ｃの外面及び／または内面に吹き付けることで容器Ｃを殺菌する。
【００２３】
第１の冷却部３２は、図１や図２に示すように、容器成形ユニット２０の下流側、すなわち、容器成形ユニット２０から容器Ｃが搬出された直後において、無菌水、無菌エア、無菌液化ガス等の低温の冷却流体を容器Ｃの口部Ｃ１に噴出することで、口部Ｃ１を冷却するものである。冷却流体の温度は約５０℃以下、好適には２０℃〜４０℃とすることが、各種ポリエステル（ポリエチレンテレフタレート、ポリブチレンテレフタレート、ポリエチレンナフタレート等）を主材とした各種ポリエステルボトルの口部Ｃ１に残存したブロー成形時のプリフォーム加熱の余熱による口部Ｃ１の変形を確実に抑制できるため好ましい。本実施形態では、図１や図２に示すように、第２・第３ターレット６２−２、６２−３の外周側に設置された複数の第１の冷却用スプレーノズル３２ａから、約３０℃〜４０℃の無菌水を容器口部Ｃ１の外面に吹き付けることで、容器Ｃの口部Ｃ１付近を冷却する。各第１の冷却用スプレーノズル３２ａからの冷却流体の噴出時間は、約０．２５〜５．０秒程度である。
また、本実施形態のように、容器Ｃの口部Ｃ１のみを冷却する場合は、口部Ｃ１のみ局部的に冷却流体を集中させられるような吹き出し口形状、例えば、扁平又は小口径等の吹き出し口形状のノズルを適宜選択することがより好ましい。
【００２４】
なお、無菌水等の冷却流体を吹き付ける位置については、上記の容器Ｃの口部Ｃ１の外面に限定されず、口部Ｃ１の内面にも吹き付けることが、容器Ｃの口部Ｃ１を短時間で確実に冷却できるため好ましい。また、容器Ｃの外面全体及び／または容器Ｃの内面全体にも、口部Ｃ１を確実に冷却できる温度に調整した冷却流体を吹き付けてもよい。
また、上述したように、隣接する複数のターレット６２（第２・第３ターレット６２−２、６２−３）の外周側に設置された第１の冷却用スプレーノズル３２ａから冷却流体を容器Ｃの口部Ｃ１に噴出することで、周方向における口部Ｃ１の片面だけでなく口部Ｃ１の全面に冷却流体を吹き付けることができる。図１においては、第１の冷却用スプレーノズル３２ａは隣接する複数のターレット６２に分けて設置されているが、１つのターレットの内周側、外周側に対向配置しても良い。
【００２５】
第２の冷却部３３は、加熱殺菌部３１の下流側、すなわち、加熱殺菌部３１によって容器Ｃに殺菌処理を施した直後において、無菌水、無菌エア、液化ガス等の低温の冷却流体を容器Ｃに噴出することで、容器Ｃの口部Ｃ１を冷却するものである。本実施形態では、図１や図２に示すように、第９ターレット６２−９の外周側および内周側に対向配置された３組の第２の冷却用スプレーノズル３３ａから、約３０℃〜４０℃の無菌水を口部Ｃ１の外面に吹き付けることで、容器口部Ｃ１付近を冷却する。また、各第２の冷却用スプレーノズル３３ａからの冷却流体の噴出時間は、約０．２５〜５．０秒程度である。
【００２６】
なお、無菌水等の冷却流体を吹き付ける位置については、上述した第１の冷却部３２と同様であり、口部Ｃ１の内面、容器Ｃの外面全体及び／または容器Ｃの内面全体にも、口部Ｃ１を確実に冷却できる温度に調整した冷却流体を吹き付けてもよい。特に、本実施形態のように、加熱殺菌部３１及び第２の冷却部３３における容器Ｃの搬送が倒立で行われる場合は、無菌水のような液体の冷却流体を容器Ｃの外面及び／または内面の全体に吹き付けると、液体の冷却流体は口部Ｃ１に集まって流れ落ちるため、口部Ｃ１にのみ局部的に冷却流体（無菌水・無菌エア・無菌液化ガス）を吹き付けた時と同様の効果を得られる。
また、第２の冷却用スプレーノズル３３ａの配置についても、上述した第１の冷却用スプレーノズル３２ａのような分割配置にしてもよい。しかし、加熱殺菌部３１での容器Ｃの殺菌が約６５℃〜９０℃程度と高いため、殺菌直後に急冷させることが好ましく、本実施形態のように第２の冷却用スプレーノズル３３ａを複数組対向配置させることが好適である。
【００２７】
容器搬送手段６０は、図１や図３に示すように、容器Ｃの口部Ｃ１を左右両側から挟み込んで保持する複数のグリッパ６１と、上下軸を中心として回転可能な複数のターレット６２（６２−１〜６２−１０）とを有している。
【００２８】
グリッパ６１は、各ターレット６２の外周に複数設置され、容器Ｃの口部Ｃ１を保持した状態で、各ターレット６２の回転に伴って公転し、各ターレット６２の外周に沿って容器Ｃを搬送する。また、隣接するターレット６２間で、容器Ｃを受け渡しする際には、図３に示すように、一方のターレット６２に設置されたグリッパ６１によって容器Ｃの口部Ｃ１のネックＣ２の下部を保持し、他方のターレット６２に設置されたグリッパ６１によって容器口部Ｃ１のカブラＣ３の下部を保持することで、容器Ｃの受け渡しを行う。
【００２９】
本実施形態では、図１〜図３に示すように、第１〜第３ターレット６２−１〜６２−３においては、正立状態（すなわち、容器口部Ｃ１を上方に向けた状態）で容器Ｃが搬送された後に、第４ターレット６２−４において、容器の姿勢を正立状態から倒立状態（すなわち、容器口部Ｃ１を下方に向けた状態）に反転させ、次に、第５〜第９ターレット６２−５〜６２−９においては、倒立状態で容器Ｃが搬送された後に、第１０ターレット６２−１０において、容器Ｃの姿勢を倒立状態から正立状態に反転させ、容器殺菌ユニット３０から容器Ｃが正立状態で搬出される。
なお、容器殺菌ユニット３０内の各工程における容器Ｃの姿勢については、上記に限定されず、実施態様に応じて任意に決定すればよい。
【００３０】
無菌充填システム１０は、上述した構成要素以外にも、各グリッパ６１の開閉動作がスムーズに行われるように、各グリッパ６１の開閉支持部に無菌水等の潤滑用の流体を供給する流体供給手段（図示しない）を備えている。このグリッパ６１に無菌水等の流体を供給する流体供給手段に、グリッパ６１の容器Ｃの口部Ｃ１把持部に流体を供給して冷却するグリッパ冷却手段としての機能を兼ねさせてもよい。
グリッパ６１の口部Ｃ１把持部は金属製で構成されている場合が多く、加熱殺菌部３１での殺菌用温水や温薬剤の熱がグリッパ６１の口部Ｃ１把持部に触れる場合や、口部Ｃ１自体が熱を帯びている場合等の転熱により、グリッパ６１の口部Ｃ１把持部は蓄熱しやすくなる。このグリッパ６１の口部Ｃ１把持部の蓄熱が、再び容器Ｃの口部Ｃ１に転熱されて、口部Ｃ１が熱を帯びてしまうことがある。このため、グリッパ６１に供給される潤滑用の流体の温度や量を調整することで、潤滑用の流体によってグリッパ６１を冷却してもよい。この場合、グリッパ６１の口部Ｃ１把持部は２０℃〜４０℃の温度を保つように、潤滑用の流体の温度や量を調整することが好ましい。
なお、流体供給手段とは別に、グリッパ冷却手段を設けてもよい。
【００３１】
また、本実施形態では、第１、第２の冷却部３２、３３および流体供給手段（グリッパ冷却手段）が、無菌水等の流体を供給する共通の流体供給源に接続されている。しかしながら、第１、第２の冷却部３２、３３や流体供給手段（グリッパ冷却手段）に対する流体の供給方法は、上記に限定されず、例えば、個別の流体供給源に接続されていてもよい。
【００３２】
また、本実施形態では、充填ユニット４０において外部から無菌エアが導入されるとともに、キャッピングユニット５０の下流側の出口搬送ゾーン７０、および、容器殺菌ユニット３０の上流側（第１の冷却部３２付近）において、前記無菌エアが回収（排出）されるように構成されている。これにより、加熱殺菌部３１で噴出される殺菌用の温水や温薬剤液が、充填ユニット４０側に侵入することを防止でき、また、容器殺菌ユニット３０内や充填ユニット４０内の湿気が、容器成形ユニット２０等の他のエリアに侵入することを防止できる。
【００３３】
さらに、第１の冷却部３２の設置位置については、容器成形ユニット２０に設置されたブローホイールの下流側から容器殺菌ユニット３０の加熱殺菌部３１の上流側であれば、いずれの位置に設置しても良い。
容器成形ユニット２０内であり、容器Ｃ１をブロー成形するブロー金型等が複数設置されたブローホイールより下流側の容器搬送手段６０（図示なし）のターレットの内周側及び外周側に設置する場合は、冷却流体を無菌水以外の無菌エア、液化ガス等のガス流体にしておくことが、成形ユニット２０内が濡れることなく、湿度による容器Ｃ成形時の悪影響を防ぐことができるため好ましい。
また、本実施形態の図１に示すように、第１の冷却部３２を容器殺菌ユニット３０内の加熱殺菌部３１の上流側にすると、冷却流体として無菌水も選択することができるため、冷却流体の選択幅が広がり、上述したグリッパ６１の冷却手段と同様の流体供給源とすることができる。
【００３４】
以上、本発明の実施形態を詳述したが、本発明は上記実施形態に限定されるものではなく、特許請求の範囲に記載された本発明を逸脱することなく種々の設計変更を行なうことが可能である。
【００３５】
例えば、上述した実施形態では、容器殺菌ユニットの直後に充填ユニットが設置されているが、温薬剤液によって容器の殺菌を行う場合には、温薬剤液を洗い流すリンサユニットを、容器殺菌ユニットと充填ユニットとの間に設置してもよい。
【符号の説明】
【００３６】
１０    ・・・  無菌充填システム
２０    ・・・  容器成形ユニット
３０    ・・・  容器殺菌ユニット
３１    ・・・  加熱殺菌部
３１ａ  ・・・  殺菌用スプレーノズル
３２    ・・・  第１の冷却部
３２ａ  ・・・  第１の冷却用スプレーノズル
３３    ・・・  第２の冷却部
３３ａ  ・・・  第２の冷却用スプレーノズル
４０    ・・・  充填ユニット
５０    ・・・  キャッピングユニット
６０    ・・・  容器搬送手段
６１    ・・・  グリッパ
６２−１〜１０    ・・・  第１〜１０ターレット
７０    ・・・  出口搬送ゾーン
Ｃ    ・・・  容器
Ｃ１  ・・・  容器口部
Ｃ２  ・・・  ネック
Ｃ３  ・・・  カブラ
【図１】
2017047965.tif 000003
【図２】
2017047965.tif 000004
【図３】
2017047965.tif 000005
【手続補正書】
【提出日】平成28年10月20日(2016.10.20)
【手続補正１】
【補正対象書類名】特許請求の範囲
【補正対象項目名】全文
【補正方法】変更
【補正の内容】
【特許請求の範囲】
【請求項１】
殺菌された内容液を殺菌済みの容器に無菌環境下で充填する無菌充填システムであって、
容器のブロー成形を行う容器成形ユニットと、前記容器成形ユニットの下流側に配置された容器殺菌ユニットと、前記容器殺菌ユニットの下流側に配置され前記容器内に内容液を充填する充填ユニットと、前記充填ユニットの下流側に配置されたキャッピングユニットとを備え、
前記容器殺菌ユニットは、前記容器を加熱殺菌する加熱殺菌部と、前記加熱殺菌部の下流側において前記容器の口部に冷却処理を施す冷却部とを有し、
前記無菌充填システムは、前記容器成形ユニットに設置されたブローホイールの下流側から前記容器殺菌ユニットの前記加熱殺菌部の上流側の間において、前記容器の口部に冷却処理を施す他の冷却部を有することを特徴とする無菌充填システム。
【請求項２】
前記容器殺菌ユニットは、前記容器の口部を保持して前記容器を搬送するグリッパを備え、前記グリッパは、該グリッパを冷却するグリッパ冷却手段を更に備えることを特徴とする請求項１に記載の無菌充填システム。
【請求項３】
前記グリッパ冷却手段は、前記グリッパに潤滑用の流体を供給して、該グリッパを冷却するように構成されていることを特徴とする請求項２に記載の無菌充填システム。
【請求項４】
上流側の容器成形ユニットと下流側の充填ユニットとの間に設置され、容器に殺菌処理を施す無菌充填システム用の容器殺菌ユニットであって、
前記容器を加熱殺菌する加熱殺菌部と、前記加熱殺菌部の下流側において前記容器の口部に冷却処理を施す冷却部と、前記加熱殺菌部の上流側において、前記容器の口部に冷却処理を施す他の冷却部とを有することを特徴とする容器殺菌ユニット。
【請求項５】
殺菌された内容液を殺菌済みの容器に無菌充填する無菌充填方法であって、
ブロー成形によって前記容器を成形し、成形された前記容器に加熱殺菌し、加熱殺菌済みの前記容器の口部に冷却処理を施した後に前記殺菌された内容液を充填・密封し、前記ブロー成型より下流側から前記加熱殺菌の上流側において、前記容器の口部に冷却処理を更に施すことを特徴とする無菌充填方法。
【手続補正２】
【補正対象書類名】明細書
【補正対象項目名】００１２
【補正方法】変更
【補正の内容】
【００１２】
本発明の無菌充填システムは、殺菌された内容液を殺菌済みの容器に無菌環境下で充填する無菌充填システムであって、容器のブロー成形を行う容器成形ユニットと、前記容器成形ユニットの下流側に配置された容器殺菌ユニットと、前記容器殺菌ユニットの下流側に配置され前記容器内に内容液を充填する充填ユニットと、前記充填ユニットの下流側に配置されたキャッピングユニットとを備え、前記容器殺菌ユニットは、前記容器を加熱殺菌する加熱殺菌部と、前記加熱殺菌部の下流側において前記容器の口部に冷却処理を施す冷却部とを有し、前記無菌充填システムは、前記容器成形ユニットに設置されたブローホイールの下流側から前記容器殺菌ユニットの前記加熱殺菌部の上流側の間において、前記容器の口部に冷却処理を施す他の冷却部を有することにより、前記課題を解決するものである。
本発明の容器殺菌ユニットは、上流側の容器成形ユニットと下流側の充填ユニットとの間に設置され、容器に殺菌処理を施す無菌充填システム用の容器殺菌ユニットであって、前記容器を加熱殺菌する加熱殺菌部と、前記加熱殺菌部の下流側において前記容器の口部に冷却処理を施す冷却部と、前記加熱殺菌部の上流側において、前記容器の口部に冷却処理を施す他の冷却部とを有することにより、前記課題を解決するものである。
本発明の無菌充填方法は、殺菌された内容液を殺菌済みの容器に無菌充填する無菌充填方法であって、ブロー成形によって前記容器を成形し、成形された前記容器に加熱殺菌し、加熱殺菌済みの前記容器の口部に冷却処理を施した後に前記殺菌された内容液を充填・密封し、前記ブロー成型より下流側から前記加熱殺菌の上流側において、前記容器の口部に冷却処理を更に施すことにより、前記課題を解決するものである。
【手続補正３】
【補正対象書類名】明細書
【補正対象項目名】００１３
【補正方法】変更
【補正の内容】
【００１３】
本請求項１、４、５に係る発明によれば、ブロー成形によって成形された容器を加熱殺菌した後に容器の口部に冷却処理を施すことにより、容器に残存したブロー成形時の余熱および加熱殺菌に起因した熱を除去した後に、充填・キャッピングをすることが可能である。このため、容器の口部が軟化した状態の時間を短縮することができ、その結果、容器成形から容器への内容液の充填までを一貫して行うインラインブロー式の無菌充填において、容器の口部の変形を確実に抑制して、容器の口部にキャップを良好にキャッピングすることができる。
【手続補正４】
【補正対象書類名】明細書
【補正対象項目名】００１４
【補正方法】変更
【補正の内容】
【００１４】
本請求項１、５に係る発明によれば、容器成形ユニットに設置されたブローホイールの下流側から容器殺菌ユニットの加熱殺菌部の上流側の間において、容器の口部に冷却処理を更に施すことにより、容器の口部の内側（深部）に残存したブロー成形時の余熱をも確実に除去した後、容器を加熱殺菌することが可能である。このため、より確実に容器の口部の変形を抑制して、容器の口部にキャップを良好にキャッピングすることができる。
本請求項２に係る発明によれば、容器殺菌ユニットは、容器の口部を把持して容器を搬送するグリッパを備え、グリッパを冷却するグリッパ冷却手段を更に備えることにより、容器搬送時に容器の口部に接触するグリッパを利用して、容器の口部から余分な熱を除去することが可能であり、容器の口部に残存したブロー成形時の余熱がグリッパに伝熱・蓄熱され、蓄熱されたグリッパが更に容器の口部を熱することを防ぐため、簡素な構成で容器口部の変形を更に確実に抑制することができる。
本請求項３に係る発明によれば、グリッパ冷却手段は、グリッパに潤滑用の流体を供給してグリッパを冷却するように構成されていることにより、グリッパを冷却する手段とグリッパを潤滑する手段とを別個に設ける必要がないため、システム構成の簡素化を図ることができる。
本請求項４に係る発明によれば、容器殺菌ユニットの加熱殺菌部の下流側において容器の口部に冷却処理を施す他の冷却部を更に有することにより、容器の口部の内側（深部）に残存したブロー成形時の余熱をも確実に除去した後、容器を加熱殺菌することが可能である。このため、より確実に容器の口部の軟化および変形を確実に抑制することができる。また、他の冷却部を容器殺菌ユニット内とすることにより、冷却手段の冷媒種類の幅を広げることが可能になる。